【手続補正書】
【提出日】令和2年1月8日(2020.1.8)
【手続補正１】
【補正対象書類名】特許請求の範囲
【補正対象項目名】全文
【補正方法】変更
【補正の内容】
【特許請求の範囲】
【請求項１】
アプリケーションのためのリソースロード方法であって、前記アプリケーションのリソースは、基盤フレームワークリソースとページリソースとを備え：
前記アプリケーション内の第１のサービス機能を起動するためのサービス要求を受信する前に、前記第１のサービス機能の基盤フレームワークリソースをアプリケーションにロードするステップ（Ｓ１１）であって、前記第１のサービス機能の前記基盤フレームワークリソースは前記第１のサービス機能を実施するための実行環境を提供するために用いられる、ステップと；
前記第１のサービス機能を起動するための前記サービス要求を受信した後、前記第１のサービス機能が必要とするページリソースをロードするステップ（Ｓ１２）と；を備える、
アプリケーションのためのリソースロード方法。
【請求項２】
前記第１のサービス機能が必要とするページリソースをロードするステップの後に、
前記第２のサービス機能を起動するためのサービス要求を受信する前に、前記アプリケーション内の第２のサービス機能の基盤フレームワークリソースをロードするステップ（Ｓ１３）を更に備える、
請求項１に記載のリソースロード方法。
【請求項３】
前記アプリケーションのエンジンはハイブリッドエンジンであり、
前記アプリケーション内の第１のサービス機能の基盤フレームワークリソースをロードするステップは、前記ハイブリッドエンジンを用いて、前記アプリケーション内の前記第１のサービス機能の基盤フレームワークＲＥＡＣＴをロードするステップ（Ｓ２１）を備える、
請求項１に記載のリソースロード方法。
【請求項４】
前記第１のサービス機能を起動するための前記サービス要求を受信した後、前記第１のサービス機能を起動するために必要なページコードをロードするステップ（Ｓ２２）と；
前記アプリケーション内の第２のサービス機能を起動するためのサービス要求を受信する前に、前記基盤フレームワークＲＥＡＣＴをリロードするステップと；を更に備える、
請求項３に記載のリソースロード方法。
【請求項５】
ロードされた前記ページコードを実行するステップを更に備える、
請求項４に記載のリソースロード方法。
【請求項６】
アプリケーションのためのサービス機能を実施するステップを更に備え：
前記アプリケーション内の第１のサービス機能を起動するためのサービス要求を受信するステップ（Ｓ３１）と；
前記サービス要求に基づいて、前記第１のサービス機能を実施するために必要なページリソースをロードするステップ（Ｓ３２）と；
前記第１のサービス機能の基盤フレームワークリソースと前記ページリソースとに基づいて前記第１のサービス機能を実施するステップ（Ｓ３３）であって、前記第１のサービス機能の前記基盤フレームワークリソースが、前記サービス要求を受信する前に、請求項１乃至請求項５のいずれか１項に記載のリソースロード方法に基づいてロードされる、ステップと；を備える、
請求項１乃至請求項５のいずれか１項に記載のリソースロード方法。
【請求項７】
前記第１のサービス機能の実施状況に基づいて前記サービス要求に応答するステップを更に備える、
請求項６に記載のリソースロード方法。
【請求項８】
アプリケーションのためのリソースロード装置であって、前記アプリケーションのリソースは、基盤フレームワークリソースとページリソースとを含み、前記装置は、基盤フレームワークリソースロードユニットとページリソースロードユニットとを含み、前記基盤フレームワークリソースロードユニット及び前記ページリソースロードユニットは、請求項１乃至請求項５のいずれか１項に記載のリソースロード方法に従い動作を実行するように構成される、
アプリケーションのためのリソースロード装置。
【請求項９】
受信ユニットと、ロードユニットと、請求項６又は請求項７に記載の方法に従って動作を実行するように構成された実施ユニットとを更に備える、
請求項８に記載のリソースロード装置。
【手続補正２】
【補正対象書類名】明細書
【補正対象項目名】００９２
【補正方法】変更
【補正の内容】
【００９２】
上述のものは本願の一実施形態であるが、本願を限定するものではない。当業者は、本願に様々な修正及び変更を加えることができる。本願の主旨及び原理から逸脱せずに為されるあらゆる修正、均等物による代替、改善は、本願の特許請求の範囲に含まれるものである。
以下、本発明の実施の態様の例を列挙する。
［第１の局面］
アプリケーションのためのリソースロード方法であって、前記アプリケーションのリソースは、基盤フレームワークリソースとページリソースとを備え：
前記アプリケーション内の第１のサービス機能を起動するためのサービス要求を受信する前に、前記第１のサービス機能の基盤フレームワークリソースをアプリケーションにロードするステップであって、前記第１のサービス機能の前記基盤フレームワークリソースは前記第１のサービス機能を実施するための実行環境を提供するために用いられる、前記ロードするステップと；
前記第１のサービス機能を起動するための前記サービス要求を受信した後、前記第１のサービス機能が必要とするページリソースをロードするステップと；を備える、
アプリケーションのためのリソースロード方法。
［第２の局面］
前記第１のサービス機能が必要とするページリソースをロードする前記ステップの後に、
前記第２のサービス機能を起動するためのサービス要求を受信する前に、前記アプリケーション内の第２のサービス機能の基盤フレームワークリソースをロードするステップを更に備える、
第１の局面に記載のリソースロード方法。
［第３の局面］
前記アプリケーションのエンジンはハイブリッドエンジンであり、
前記アプリケーション内の第１のサービス機能の基盤フレームワークリソースをロードする前記ステップは、前記ハイブリッドエンジンを用いて、前記アプリケーション内の前記第１のサービス機能の基盤フレームワークＲＥＡＣＴをロードするステップを備える、
第１の局面に記載のリソースロード方法。
［第４の局面］
アプリケーションのためのサービス機能実施方法であって：
前記アプリケーション内の第１のサービス機能を起動するためのサービス要求を受信するステップと；
前記サービス要求に基づいて、前記第１のサービス機能を実施するために必要なページリソースをロードするステップと；
前記第１のサービス機能の基盤フレームワークリソースと前記ページリソースとに基づいて前記第１のサービス機能を実施するステップであって、前記第１のサービス機能の前記基盤フレームワークリソースが、前記サービス要求を受信する前に、請求項１乃至請求項３のいずれか１項に記載のリソースロード方法に基づいてロードされる、前記実施するステップと；を備える、
アプリケーションのためのサービス機能実施方法。
［第５の局面］
アプリケーションのためのリソースロード装置であって、前記アプリケーションのリソースは、基盤フレームワークリソースとページリソースとを含み、
前記装置は、基盤フレームワークリソースロードユニットとページリソースロードユニットとを含み、
前記基盤フレームワークリソースロードユニットは、前記アプリケーション内の第１のサービス機能を起動するためのサービス要求を受信する前に、前記アプリケーション内の前記第１のサービス機能の基盤フレームワークリソースをロードするように構成され、前記第１のサービス機能の前記基盤フレームワークリソースは、前記第１のサービス機能を実施するための実行環境を提供するために用いられ、
前記ページリソースロードユニットは、前記第１のサービス機能を起動するための前記サービス要求を受信した後に、前記第１のサービス機能が必要とするページリソースをロードするように構成される、
アプリケーションのためのリソースロード装置。
［第６の局面］
第２のサービス機能を起動するためのサービス要求を受信する前に、前記アプリケーション内の前記第２のサービス機能の基盤フレームワークリソースをロードするように構成される第２の基盤フレームワークリソースロードユニットを更に備える、
第５の局面に記載のリソースロード装置。
［第７の局面］
前記基盤フレームワークリソースロードユニットは、前記アプリケーションのエンジンがハイブリッドエンジンである場合、前記ハイブリッドエンジンを用いて前記アプリケーション内の前記第１のサービス機能の基盤フレームワークＲＥＡＣＴをロードするように構成される基盤フレームワークリソースロードサブユニットを備える、
第５の局面に記載のリソースロード装置。
［第８の局面］
受信ユニットと、ロードユニットと、実施ユニットとを備える、アプリケーションのためのサービス機能実施装置であって：
前記受信ユニットは、前記アプリケーション内の第１のサービス機能を起動するためのサービス要求を受信するように構成され、
前記ロードユニットは、前記サービス要求に基づいて、前記第１のサービス機能を実施するために必要なページリソースをロードするように構成され、
前記実施ユニットは、前記第１のサービス機能の基盤フレームワークリソースと前記ページリソースとに基づいて前記第１のサービス機能を実施するように構成され、前記第１のサービス機能の前記基盤フレームワークリソースは、前記サービス要求を受信する前に、請求項５乃至請求項７のいずれか１項に記載のリソースロード装置に基づいてロードされる、
アプリケーションのためのサービス機能実施装置。